(57)【要約】【課題】近距離無線通信部での電力消費を抑えることができる、画像処理装置を提供する。【解決手段】ＮＦＣ基板１３のアンテナ１６の位置に対応した位置に、物体の近接または接触を検出する起動用静電容量センサ２５〜２８が配置されている。省電力状態のＮＦＣ基板１３のアンテナ１６にＩＣカード１７などの端末が近づけられるときに、その端末を把持する手などが起動用静電容量センサ２５〜２８の検出面２５Ｄ〜２８Ｄに近接して、その近接による静電容量の変化を起動用静電容量センサ２５〜２８が検出すると、これに応じてＮＦＣ基板１３が省電力状態から通常状態に起動される。【選択図】図４
2019177630.tif 000002
【特許請求の範囲】
【請求項１】
画像をシートに印刷する印刷処理および画像を読み取る読取処理の少なくとも一方を実行する画像処理装置であって、
外部端末との間で電波を送受信するアンテナを有し、前記外部端末が前記アンテナから所定範囲内に近づけられたことに応じて、前記外部端末との間で近距離無線通信を行う近距離無線通信部と、
前記アンテナの位置に対応した位置に配置された検出面を有し、その検出面に対する物体の近接または接触を検出する起動用静電容量センサと、
制御部と、を備え、
前記制御部は、前記近距離無線通信部が省電力状態である場合に、前記起動用静電容量センサにより前記検出面に対する物体の近接または接触が検出されたことに応じて、前記近距離無線通信部を前記省電力状態から通常状態に移行させる、画像処理装置。
【請求項２】
請求項１に記載の画像処理装置であって、
前記起動用静電容量センサは、前記アンテナの位置に対して前側の位置に配置された第１静電容量センサを含む、画像処理装置。
【請求項３】
請求項２に記載の画像処理装置であって、
前記起動用静電容量センサは、前記アンテナの位置に対して前側の位置に、前記検出面を前側に向けて配置される第２静電容量センサを含む、画像処理装置。
【請求項４】
請求項３に記載の画像処理装置であって、
前記起動用静電容量センサは、
前記アンテナの位置に対して左側の位置に配置された第３静電容量センサと、
前記アンテナの位置に対して右側の位置に配置される第４静電容量センサと、を含む、画像処理装置。
【請求項５】
請求項１〜４のいずれか一項に記載の画像処理装置であって、
情報の入力のためにタッチ操作され、そのタッチ操作を検出するＵＩ用静電容量センサと、
前記起動用静電容量センサおよび前記ＵＩ用静電容量センサが共通に接続され、前記起動用静電容量センサおよび前記ＵＩ用静電容量センサの各検出値が入力されるセンサ回路と、をさらに備える、画像処理装置。
【請求項６】
請求項５に記載の画像処理装置であって、
前記ＵＩ用静電容量センサの感度よりも、前記起動用静電容量センサの感度の方が高い、画像処理装置。
【請求項７】
請求項６に記載の画像処理装置であって、
前記センサ回路は、
前記ＵＩ用静電容量センサの検出値と第１閾値とを比較して、タッチ操作を検出し、
前記起動用静電容量センサの検出値と前記第１閾値よりも絶対値の小さな第２閾値とを比較して、前記検出面に対する物体の近接または接触を検出する、画像処理装置。
【請求項８】
請求項１〜７のいずれか一項に記載の画像処理装置であって、
前記制御部は、前記起動用静電容量センサが静電容量の変化を検出したことに応じて、前記近距離無線通信部を起動し、
前記近距離無線通信部は、前記外部端末の探索を行わずに、前記外部端末との近距離無線を開始する、画像処理装置。
【請求項９】
外部端末との間で電波を送受信するアンテナを有し、前記外部端末が前記アンテナから所定範囲内に近づけられたことに応じて、前記外部端末との間で近距離無線通信を行う近距離無線通信部と、
前記アンテナの位置に対応した位置に配置された検出面を有し、その検出面に対する物体の近接または接触を検出する起動用静電容量センサと、
制御部と、を備え、
前記制御部は、前記近距離無線通信部が省電力状態である場合に、前記起動用静電容量センサにより前記検出面に対する物体の近接または接触が検出されたことに応じて、前記近距離無線通信部を前記省電力状態から通常状態に移行させる、電子機器。
【発明の詳細な説明】
【技術分野】
【０００１】
本発明は、画像処理装置および電子機器に関する。
【背景技術】
【０００２】
たとえば、ＮＦＣ（Near Field Communication）による無線通信のためのＮＦＣ基板を含む近距離無線通信部を備えるプリンタが知られている。
【０００３】
ＮＦＣ基板には、ＩＣチップを含むＮＦＣコントローラと、ＮＦＣ通信機能を有するＩＣカードや携帯端末などの外部端末との間で電波を送受信するアンテナとが設けられている。外部端末がＮＦＣ基板にかざされると、その外部端末とＮＦＣコントローラとの間でＮＦＣによる無線通信が確立される。
【先行技術文献】
【特許文献】
【０００４】
【特許文献１】特開２００５−３４２９５４号公報
【発明の概要】
【発明が解決しようとする課題】
【０００５】
上記の技術において、外部端末がＮＦＣ基板にかざされたことに応じて、外部端末とＮＦＣコントローラとの間でＮＦＣによる無線通信を確立するためには、ＮＦＣコントローラを動作状態にして、アンテナから電波を発信しておかなければならない。そのため、ＮＦＣ基板での電力消費が大きい。
【０００６】
本発明の目的は、近距離無線通信部での電力消費を抑えることができる、画像処理装置を提供することである。
【課題を解決するための手段】
【０００７】
前記の目的を達成するため、本発明の一の局面に係る画像処理装置は、画像をシートに印刷する印刷処理および画像を読み取る読取処理の少なくとも一方を実行する画像処理装置であって、外部端末との間で電波を送受信するアンテナを有し、外部端末がアンテナから所定範囲内に近づけられたことに応じて、外部端末との間で近距離無線通信を行う近距離無線通信部と、アンテナの位置に対応した位置に配置された検出面を有し、その検出面に対する物体の近接または接触を検出する起動用静電容量センサと、制御部と、を備え、制御部は、近距離無線通信部が省電力状態である場合に、起動用静電容量センサにより検出面に対する物体の近接または接触が検出されたことに応じて、近距離無線通信部を省電力状態から通常状態に移行させる。
【０００８】
この構成によれば、近距離無線通信部のアンテナの位置に対応した位置に、物体の近接または接触を検出する起動用静電容量センサが配置されている。省電力状態の近距離無線通信部のアンテナに外部端末が近づけられるときに、手などの物体が起動用静電容量センサの検出面に近接または接触して、その近接または接触による静電容量の変化を起動用静電容量センサが検出すると、これに応じて近距離無線通信部が省電力状態から通常状態に起動される。これにより、近距離無線通信部の動作が停止していても、近距離無線通信部のアンテナに外部端末が近づけられると、近距離無線通信部が起動し、その所定範囲内に入った外部端末と近距離無線通信部との間で近距離無線通信を確立することができる。
【０００９】
よって、近距離無線通信が行われないときには、近距離無線通信部の動作を停止させておくことができ、その動作停止により近距離無線通信部の電力消費を低く抑えることができる。
【００１０】
本発明の一の局面に係る電子機器は、外部端末との間で電波を送受信するアンテナを有し、外部端末がアンテナから所定範囲内に近づけられたことに応じて、外部端末との間で近距離無線通信を行う近距離無線通信部と、アンテナの位置に対応した位置に配置された検出面を有し、その検出面に対する物体の近接または接触を検出する起動用静電容量センサと、制御部と、を備え、制御部は、近距離無線通信部が省電力状態である場合に、起動用静電容量センサにより検出面に対する物体の近接または接触が検出されたことに応じて、近距離無線通信部を省電力状態から通常状態に移行させる。
【００１１】
この電子機器においても、前述の画像処理装置と同様の作用効果を奏することができる。
【発明の効果】
【００１２】
本発明によれば、近距離無線通信部での電力消費を抑えることができる。
【図面の簡単な説明】
【００１３】
【図１】本発明の一実施形態に係る複合機の外観を示す斜視図である。
【図２】操作パネルの断面図である。
【図３】操作パネルの表面構成を示す図である。
【図４】操作パネルの内部構成を図解的に示す図である。
【図５】静電容量センサＩＣの構成を示す図である。
【図６】複合機の制御系の要部の構成を示すブロック図である。
【図７】移行指示処理の流れを示すフローチャートである。
【図８】状態移行処理の流れを示すフローチャートである。
【発明を実施するための形態】
【００１４】
以下では、本発明の実施の形態について、添付図面を参照しつつ詳細に説明する。
【００１５】
＜複合機＞
図１には、複合機（ＭＦＰ：Multi-Function Peripheral）１が示されている。複合機１（画像処理装置および電子機器の一例）は、プリント機能、スキャン機能およびコピー機能など、複数の機能を有する電子機器である。プリント機能（画像形成機能）は、画像データに係る画像をプリント用紙などのシートに印刷（プリント）する機能である。スキャン機能（画像読取機能）は、原稿の画像を読み取って画像データを生成する機能である。コピー機能は、スキャン機能により原稿を読み取って、その読み取った原稿（画像）を画像形成機能によりシートに印刷する機能である。複合機１は、プリント機能のための画像形成装置２およびスキャン機能のための画像読取装置３を備えている。
【００１６】
画像形成装置２は、プリンタ筐体４を備えている。プリンタ筐体４の底部には、給紙トレイ５がプリンタ筐体４の一方側から抜き差し可能に設けられている。給紙トレイ５は、複数枚のプリント用紙などのシートを積み重なった状態で支持可能に構成されている。
【００１７】
なお、以下の説明で使用するため、給紙トレイ５を抜き差し可能な一方側を複合機１の前側と規定し、その反対側を後側と規定する。そして、水平面上に設置された複合機１を前側から見た状態を基準に、複合機１の上側、下側、左側および右側を規定する。
【００１８】
シートに画像が形成されるときには、給紙トレイ５からプリンタ筐体４内にシートが１枚ずつ送り出され、プリンタ筐体４内をそのシートが搬送される。シートがプリンタ筐体４内を搬送される間に、プリンタ筐体４内に収容されている画像形成部（図示せず）により、シートに画像（カラー画像またはモノクロ画像）が形成される。画像形成部による画像形成の方式は、電子写真方式であってもよいし、インクジェット方式であってもよい。画像が形成されたシートは、プリンタ筐体４の上面に形成された排紙トレイ６に排出される。
【００１９】
画像読取装置３は、スキャナ筐体７と、原稿カバーを兼ねるＡＤＦ（Auto Document Feeder：自動原稿搬送装置）８を備えている。スキャナ筐体７の上面には、コンタクトガラス（図示せず）が配置されている。ＡＤＦ８は、コンタクトガラスを露出させる開位置とコンタクトガラスを被覆する閉位置とに開閉可能に設けられている。
【００２０】
画像読取装置３では、ＦＢ（Flat Bed：フラットベッド）方式およびＡＤＦ方式の両方式による原稿の画像の読み取りが可能である。ＦＢ方式による原稿の読み取りの際には、ＡＤＦ８が開位置に開かれて、原稿がコンタクトガラス上に載置される。その後、スキャンの実行の指令に応じて、イメージセンサを含む読取デバイスにより、コンタクトガラス上の原稿の画像が読み取られる。ＡＤＦ方式による原稿の読み取りの際には、原稿がＡＤＦ８に設けられた原稿トレイ上に載置される。その後、スキャンの実行の指令に応じて、原稿トレイ上の原稿の搬送が開始され、原稿が搬送されながら、その原稿の画像が読取デバイスに読み取られる。
【００２１】
＜操作パネル＞
スキャナ筐体７の前端部には、操作パネル１１が設けられている。操作パネル１１は、図２に示されるように、その上面１１Ｔおよび前面１１Ｆを構成するパネルカバー１２を備えている。つまり、パネルカバー１２は、操作パネル１１の筐体の一部である。
【００２２】
パネルカバー１２の下側には、図２、図３および図４に示されるように、ＮＦＣ（Near Field Communication）基板１３が配置されている。ＮＦＣ基板１３（近距離無線通信部の一例）は、図２に示されるように、操作パネル１１の上面１１Ｔと略平行をなして延びている。ＮＦＣ基板１３には、図４に示されるように、プリント配線が形成されたプリント配線板１４と、ＮＦＣによる無線通信（ＮＦＣ通信）のためのＮＦＣ−ＩＣ１５およびアンテナ１６とが含まれる。ＮＦＣは、国際規格であるＩＳＯ／ＩＥＣ１４４４３、ＩＳＯ／ＩＥＣ１８０９２などに対応し、１３．５６ＭＨｚ帯の通信周波数を利用する無線通信技術である。
【００２３】
ＮＦＣ−ＩＣ１５は、プリント配線板１４に実装されて、プリント配線と電気的に接続されている。アンテナ１６は、プリント配線技術によりプリント配線板１４に作り込まれており、たとえば、ＮＦＣ−ＩＣ１５の周囲を取り囲むループ状に形成されている。アンテナ１６にＮＦＣ通信機能を有する端末、たとえばＩＣカード１７がかざされる（近づけられる）と、そのＩＣカード１７とＮＦＣ基板１３との間でＮＦＣ通信が行われる。
【００２４】
また、操作パネル１１には、図３に示されるように、読取動作の開始を指示するスタートキー２１、読取動作の停止を指示するストップキー２２、表示部の表示画面のホーム画面への切り替えを指示するホームキー２３および表示部の表示画面を１つ前の画面に戻すことを指示するバックキー２４などの操作キーが設けられている。各操作キーは、操作キーであることをユーザが認識可能なように、パネルカバー１２の表面にマークとして形成されている。パネルカバー１２の下側には、各操作キー２１〜２４に対応して、図４に示されるように、ＵＩ（User Interface：ユーザインタフェース）用静電容量センサ２１Ｓ，２２Ｓ，２３Ｓ，２４Ｓが設けられている。
【００２５】
ＵＩ用静電容量センサ２１Ｓは、スタートキー２１に対してパネルカバー１２を挟んでパネルカバー１２の厚さ方向に対向してパネルカバー１２に近接して配置されている。ＵＩ用静電容量センサ２１Ｓは、１対の電極を有し、スタートキーへの物体の近接に応じて１対の電極間の静電容量が変化するよう構成されている。ＵＩ用静電容量センサ２１Ｓは、その電極間の静電容量に応じた検出信号を出力する。
【００２６】
ＵＩ用静電容量センサ２２Ｓは、ストップキー２２に対してパネルカバー１２を挟んでパネルカバー１２の厚さ方向に対向してパネルカバー１２に近接して配置されている。ＵＩ用静電容量センサ２２Ｓは、１対の電極を有し、ストップキーへの物体の近接に応じて１対の電極間の静電容量が変化するよう構成されている。ＵＩ用静電容量センサ２２Ｓは、その電極間の静電容量に応じた検出信号を出力する。
【００２７】
ＵＩ用静電容量センサ２３Ｓは、ホームキー２３に対してパネルカバー１２を挟んでパネルカバー１２の厚さ方向に対向してパネルカバー１２に近接して配置されている。ＵＩ用静電容量センサ２３Ｓは、１対の電極を有し、ホームキーへの物体の近接に応じて１対の電極間の静電容量が変化するよう構成されている。ＵＩ用静電容量センサ２３Ｓは、その電極間の静電容量に応じた検出信号を出力する。
【００２８】
ＵＩ用静電容量センサ２４Ｓは、バックキー２４に対してパネルカバー１２を挟んでパネルカバー１２の厚さ方向に対向してパネルカバー１２に近接して配置されている。ＵＩ用静電容量センサ２４Ｓは、１対の電極を有し、バックキーへの物体の近接に応じて１対の電極間の静電容量が変化するよう構成されている。ＵＩ用静電容量センサ２４Ｓは、その電極間の静電容量に応じた検出信号を出力する。
【００２９】
さらに、操作パネル１１には、４個の起動用静電容量センサ２５，２６，２７，２８が設けられている。
【００３０】
第１の起動用静電容量センサ２５（第１静電容量センサの一例）は、ＮＦＣ基板１３の前側の位置に配置されている。起動用静電容量センサ２５は、操作パネル１１の上面１１Ｔと略平行をなす検出面２５Ｄを有し、その検出面２５Ｄに対する物体の近接に応じて１対の電極間の静電容量が変化するよう構成されている。検出面２５Ｄは、左右方向に延びる長方形状をなしている。起動用静電容量センサ２５は、その電極間の静電容量に応じた検出信号を出力する。
【００３１】
第２の起動用静電容量センサ２６（第２静電容量センサの一例）は、第１の起動用静電容量センサ２５のさらに前側の位置に配置されている。起動用静電容量センサ２６は、操作パネル１１の前面１１Ｆと略平行をなす検出面２６Ｄを有し、その検出面２６Ｄに対する物体の近接に応じて１対の電極間の静電容量が変化するよう構成されている。検出面２６Ｄは、左右方向に延びる長方形状をなしている。起動用静電容量センサ２６は、その電極間の静電容量に応じた検出信号を出力する。
【００３２】
第３の起動用静電容量センサ２７（第３静電容量センサの一例）は、ＮＦＣ基板１３の左側の位置に配置されている。起動用静電容量センサ２７は、操作パネル１１の上面１１Ｔと略平行をなす検出面２７Ｄを有し、その検出面２７Ｄに対する物体の近接に応じて１対の電極間の静電容量が変化するよう構成されている。検出面２７Ｄは、前後方向に延びる長方形状をなしている。起動用静電容量センサ２７は、その電極間の静電容量に応じた検出信号を出力する。
【００３３】
第４の起動用静電容量センサ２８（第４静電容量センサの一例）は、ＮＦＣ基板１３の右側の位置に配置されている。起動用静電容量センサ２８は、操作パネル１１の上面１１Ｔと略平行をなす検出面２８Ｄを有し、その検出面２８Ｄに対する物体の近接に応じて１対の電極間の静電容量が変化するよう構成されている。検出面２８Ｄは、前後方向に延びる長方形状をなしている。起動用静電容量センサ２８は、その電極間の静電容量に応じた検出信号を出力する。
【００３４】
起動用静電容量センサ２５〜２７は、ＮＦＣ基板１３の周縁から所定距離内、たとえば、１０ｍｍ内の範囲に配置されている。
【００３５】
また、パネルカバー１２の下側には、静電容量センサＩＣ２９（センサ回路の一例）が設けられている。ＵＩ用静電容量センサ２１〜２４の出力端子は、それぞれ信号線３１，３２，３３，３４を介して静電容量センサＩＣ２９に個別に接続されている。起動用静電容量センサ２５〜２８の出力端子は、１本の信号線３５に接続され、その信号線３５を介して静電容量センサＩＣ２９に接続されている。
【００３６】
＜静電容量センサＩＣの構成＞
静電容量センサＩＣ２９は、図５に示されるように、ＵＩ用静電容量センサの個々に対応して、ＵＩ用コンパレータ３６を備えている。ＵＩ用コンパレータ３６の非反転入力端子（＋）には、それぞれ対応するＵＩ用静電容量センサの信号線が接続されている。ＵＩ用コンパレータ３６の反転入力端子（−）には、予め設定された第１閾値が入力される。
【００３７】
非反転入力端子に入力されるＵＩ用静電容量センサの検出信号のレベルである検出値が反転入力端子に入力される第１閾値よりも大きい場合、ＵＩ用コンパレータ３６の出力端子からハイレベル信号が出力され、検出値が第１閾値以下である場合、ＵＩ用コンパレータ３６の出力端子からローレベル信号が出力される。静電容量センサＩＣ２９は、ＵＩ用コンパレータ３６の出力端子からハイレベル信号が出力されたことに応じて、そのＵＩ用コンパレータ３６に対応する操作キーがタッチ操作されたことを表す通知を出力する。
【００３８】
また、静電容量センサＩＣ２９は、起動用静電容量センサ２５〜２８に対応して、起動用コンパレータ３７を備えている。起動用コンパレータ３７の非反転入力端子（＋）には、起動用静電容量センサ２５〜２８の出力端子が共通に接続される信号線３５が接続されている。起動用コンパレータ３７の反転入力端子（−）には、予め設定された第２閾値が入力される。第２閾値は、第１閾値よりも小さい値に設定されている。
【００３９】
非反転入力端子に入力される起動用静電容量センサ２５〜２８のいずれかの検出信号のレベルである検出値が反転入力端子に入力される第２閾値よりも大きい場合、起動用コンパレータ３７の出力端子からハイレベル信号が出力され、検出値が第１閾値以下である場合、ＵＩ用コンパレータ３６の出力端子からローレベル信号が出力される。静電容量センサＩＣ２９は、起動用コンパレータ３７の出力端子からハイレベル信号が出力されたことに応じて、起動用静電容量センサ２５〜２８の少なくとも１つに物体が近接したことを表す通知を出力する。
【００４０】
＜制御系の構成＞
複合機１は、各部を制御するため、図６に示されるように、ＡＳＩＣ（Application Specific Integrated Circuit）４１、ＲＯＭ（Read Only Memory）４２およびＲＡＭ（Random Access Memory）４３を備えている。ＡＳＩＣ４１、ＲＯＭ４２およびＲＡＭ４３は、バス４４を介してデータ通信可能に接続されている。また、バス４４には、ＮＦＣ−ＩＣ１５および静電容量センサＩＣ２９が接続されており、ＡＳＩＣ４１は、ＮＦＣ−ＩＣ１５および静電容量センサＩＣ２９との間でデータ通信を行うことができる。
【００４１】
ＡＳＩＣ４１は、ＣＰＵ４５（制御部の一例）を内蔵している。ＲＯＭ４２は、フラッシュメモリなどの書き換え可能な不揮発性メモリからなる。ＲＯＭ４２には、ＣＰＵ４５によって実行されるプログラムおよび各種のデータなどが記憶されている。ＲＡＭ４３は、ＤＲＡＭ（Dynamic Random Access Memory）などの揮発性メモリであり、ＣＰＵ４５がプログラムを実行する際のワークエリアとして使用される。
【００４２】
＜移行指示処理＞
複合機１の電源が投入されている間、ＡＳＩＣ４１のＣＰＵ４５は、図７に示される移行指示処理を実行する。
【００４３】
移行指示処理では、ＣＰＵ４５は、省電力移行条件が成立したか否かを判断する（Ｓ１１）。省電力移行条件は、プリント機能またはスキャン機能を使用する各種ジョブが実行されておらず、ＮＦＣ基板１３とＩＣカード１７などの端末との間でＮＦＣ通信が行われておらず、かつ、静電容量センサＩＣ２９から操作キーがタッチ操作されたことを表す通知および起動用静電容量センサ２５〜２８の少なくとも１つに物体が近接したことを表す通知（以下、この通知を「近接通知」という。）が入力されていない状態が所定時間継続するという条件である。所定時間は、たとえば、３分間である。省電力移行条件が成立していないときには、ＮＦＣ基板１３の状態が通常状態であり、ＮＦＣ基板１３に動作電力が供給されて、ＮＦＣ基板１３とＩＣカード１７などの端末との間でのＮＦＣ通信が可能である。省電力移行条件が成立するまで、移行指示処理は、次のステップに進まない。
【００４４】
省電力移行条件が成立すると（Ｓ１１：ＹＥＳ）、ＣＰＵ４５は、ＮＦＣ基板１３のＮＦＣ−ＩＣ１５に通常状態から省電力状態の一例であるスリープ状態へのスリープ移行を指示する（Ｓ１２）。このスリープ移行指示は、たとえば、ＡＳＩＣ４１からＮＦＣ−ＩＣ１５に向けてスリープコマンドを出力することにより達成されてもよいし、ＡＳＩＣ４１からＮＦＣ−ＩＣ１５に向けて出力されるウエイク信号の信号レベルをローレベルからハイレベルに切り替えることにより達成されてもよい。
【００４５】
その後、ＣＰＵ４５は、静電容量センサＩＣ２９からＡＳＩＣ４１に近接通知が入力されたか否かを判断する（Ｓ１３）。近接通知が入力されるまで、移行指示処理は、次のステップに進まない。
【００４６】
ＡＳＩＣ４１に近接通知が入力されると（Ｓ１３：ＹＥＳ）、ＣＰＵ４５は、ＮＦＣ基板１３のＮＦＣ−ＩＣ１５にスリープ状態から通常状態へのウエイク移行を指示する（Ｓ１４）。このウエイク移行指示は、たとえば、ＡＳＩＣ４１からＮＦＣ−ＩＣ１５に向けてウエイクコマンドを出力することにより達成されてもよいし、ＡＳＩＣ４１からＮＦＣ−ＩＣ１５に向けて出力されるウエイク信号の信号レベルをハイレベルからローハイレベルに切り替えることにより達成されてもよい。その後、ＣＰＵ４５は、移行指示処理を終了する。
【００４７】
＜状態移行処理＞
ＮＦＣ基板１３のＮＦＣ−ＩＣ１５は、通常状態において、図８に示される状態移行処理を実行する。
【００４８】
状態移行処理では、ＮＦＣ−ＩＣ１５は、ＡＳＩＣ４１からウエイク移行指示が入力されたか否かを判断する（Ｓ２１）。ウエイク移行指示が入力されていない場合（Ｓ２１：ＮＯ）、ＮＦＣ−ＩＣ１５は、スリープ移行指示が入力されたか否かを判断する（Ｓ２２）。ウエイク移行指示またはスリープ移行指示が入力されるまで、状態移行処理は、次のステップに進まない。
【００４９】
スリープ移行指示が入力された場合（Ｓ２２：ＹＥＳ）、ＮＦＣ−ＩＣ１５は、ＮＦＣ通信のための動作を停止する（Ｓ２３：スリープ移行）。これにより、ＮＦＣ基板１３の状態が通常状態から通常状態よりも消費電力が低い省電力状態に移行する。省電力状態では、ＮＦＣ基板１３のアンテナ１６からＮＦＣ基板１３とのＮＦＣ通信の相手を探索するポーリングコマンド（ＲＦ通信コマンド）の送出が停止される。
【００５０】
その後、ＮＦＣ−ＩＣ１５は、ＡＳＩＣ４１からウエイク移行指示が入力されたか否かを判断する（Ｓ２１）。
【００５１】
ウエイク移行指示が入力されると（Ｓ２１：ＹＥＳ）、ＮＦＣ−ＩＣ１５は、ＮＦＣ通信のために起動する（Ｓ２４）。このＮＦＣ−ＩＣ１５の起動により、ＮＦＣ基板１３の状態が省電力状態から通常状態に復帰する。
【００５２】
ＡＳＩＣ４１からＮＦＣ−ＩＣ１５にウエイク移行指示が入力されるのは、静電容量センサＩＣ２９からＡＳＩＣ４１に近接通知が入力された場合である。近接通知は、起動用静電容量センサ２５〜２８の少なくとも１つに物体が近接したことを表す通知である。たとえば、ＩＣカード１７などの端末がＮＦＣ基板１３のアンテナ１６にかざされる際に、その端末を把持したユーザの手が起動用静電容量センサ２５〜２８に近接すると、静電容量センサＩＣ２９から近接通知が出力される。
【００５３】
そのため、ウエイク移行指示が入力されて、ＮＦＣ基板１３の状態が省電力状態から通常状態に復帰した後、ＮＦＣ−ＩＣ１５は、ＮＦＣ基板１３のアンテナ１６からポーリングコマンドを送出せずに、言い換えれば、ＮＦＣ通信可能なＩＣカード１７などの端末の探索を行わずに、アンテナ１６からＮＦＣ通信を開始するコマンドを送出する（Ｓ２５）。
【００５４】
その後、ＮＦＣ−ＩＣ１５は、ＮＦＣ基板１３と端末との間でのＮＦＣ通信が終了したか否かを判断する（Ｓ２６）。ＮＦＣ基板１３と端末との間でＮＦＣ通信によるデータの送受信が終了した場合はもちろん、アンテナ１６からＮＦＣ通信を開始するコマンドが送出されたが、ＮＦＣ基板１３と端末との間でＮＦＣ通信が確立されなかった場合にも、ＮＦＣ−ＩＣ１５は、ＮＦＣ基板１３と端末との間でのＮＦＣ通信が終了したと判断する。
【００５５】
ＮＦＣ通信が終了すると（Ｓ２６：ＹＥＳ）、ＮＦＣ−ＩＣ１５は、ＮＦＣ基板１３のアンテナ１６からポーリングコマンドを繰り返し送出する探索動作を実行する（Ｓ２７）。そして、ＮＦＣ−ＩＣ１５は、ＮＦＣ基板１３とＮＦＣ通信可能な端末が見つかった場合（Ｓ２８：ＹＥＳ）、アンテナ１６からＮＦＣ通信を開始するコマンドを送出して、ＮＦＣ基板１３と端末との間でのＮＦＣ通信を開始する（Ｓ２５）。一方、ＮＦＣ−ＩＣ１５は、探索動作を開始してから一定時間が経過するまでの間に端末が見つからなかった場合には、タイムアウトと判断して（Ｓ２９：ＹＥＳ）、ウエイク移行指示が入力されたか否かを再び判断する（Ｓ２１）。
【００５６】
＜作用効果＞
以上のように、ＮＦＣ基板１３のアンテナ１６の位置に対応した位置に、物体の近接または接触を検出する起動用静電容量センサ２５〜２８が配置されている。省電力状態のＮＦＣ基板１３のアンテナ１６にＩＣカード１７などの端末が近づけられるときに、その端末を把持する手などが起動用静電容量センサ２５〜２８の検出面２５Ｄ〜２８Ｄに近接して、その近接による静電容量の変化を起動用静電容量センサ２５〜２８が検出すると、これに応じてＮＦＣ基板１３が省電力状態から通常状態に起動される。これにより、ＮＦＣ基板１３の動作が停止していても、ＮＦＣ基板１３のアンテナ１６にＩＣカード１７などの端末が近づけられると、ＮＦＣ基板１３が起動し、その所定範囲内に入ったＩＣカード１７などの端末とＮＦＣ基板１３との間でＮＦＣ通信を確立することができる。
【００５７】
よって、ＮＦＣ通信が行われないときには、ＮＦＣ基板１３の動作を停止させておくことができ、その動作停止によりＮＦＣ基板１３の電力消費を低く抑えることができる。
【００５８】
第１の起動用静電容量センサ２５は、ＮＦＣ基板１３の前側の位置に配置されている。そのため、ＩＣカード１７などの端末の幅方向の中央が手指で把持されて、ＮＦＣ基板１３にその前側から端末が近づけられる場合に、起動用静電容量センサ２５により、端末を把持する手の近接を良好に検出することができる。
【００５９】
第２の起動用静電容量センサ２６は、第１の起動用静電容量センサ２５のさらに前側の位置に、検出面２６Ｄが操作パネル１１の前面１１Ｆと略平行をなすように配置されている。そのため、ユーザがＮＦＣ基板１３にＩＣカード１７などの端末をかざすために複合機１の前に立ったときに、起動用静電容量センサ２６により、ユーザの身体の近接を良好に検出することができる。
【００６０】
第３の起動用静電容量センサ２７は、ＮＦＣ基板１３の左側の位置に配置されている。そのため、ＩＣカード１７などの端末の左端が手指で把持されて、ＮＦＣ基板１３にその前側または左側から端末が近づけられる場合に、起動用静電容量センサ２７により、端末を把持する手の近接を良好に検出することができる。
【００６１】
第４の起動用静電容量センサ２８は、ＮＦＣ基板１３の右側の位置に配置されている。そのため、ＩＣカード１７などの端末の右端が手指で把持されて、ＮＦＣ基板１３にその前側または右側から端末が近づけられる場合に、起動用静電容量センサ２８により、端末を把持する手の近接を良好に検出することができる。
【００６２】
操作キーに対応して設けられるＵＩ用静電容量センサについては、ＵＩ用静電容量センサの検出値が第１閾値よりも大きい場合、操作キーがタッチ操作されたことを表す通知が静電容量センサＩＣ２９から出力されるのに対し、起動用静電容量センサ２５〜２８については、起動用静電容量センサ２５〜２８の検出値が第２閾値よりも大きい場合に、起動用静電容量センサ２５〜２８に物体が近接したことを表す通知が静電容量センサＩＣ２９から出力される。そして、第２閾値は、第１閾値よりも小さい値に設定されている。そのため、起動用静電容量センサ２５〜２８の検出面２５Ｄ〜２８Ｄへの物体の近接を良好な感度で検出することができる。
【００６３】
また、ユーザの手などの物体が起動用静電容量センサ２５〜２８に近接して、ＮＦＣ基板１３の状態が省電力状態から通常状態に復帰した後は、ＮＦＣ通信可能なＩＣカード１７などの端末の探索が行われずに、アンテナ１６からＮＦＣ通信を開始するコマンドが送出される。これにより、通常状態への復帰後にＮＦＣ通信を速やかに開始することができる。
【００６４】
＜変形例＞
以上、本発明の一実施形態について説明したが、本発明は、他の形態で実施することもできる。
【００６５】
たとえば、前述の実施形態では、ＮＦＣ基板１３の周囲に４個の起動用静電容量センサ２５〜２８が配置された構成を取り上げたが、起動用静電容量センサ２６が省略されてもよいし、それ以外の静電容量センサ２５，２７，２８が省略されてもよい。また、起動用静電容量センサ２５〜２８に追加して、１個または複数個の起動用静電容量センサが設けられてもよい。さらに、起動用静電容量センサは、操作パネル１１に限らず、ＡＤＦ８の前面など、他の部位に配置されていてもよい。
【００６６】
また、起動用静電容量センサ２５〜２８が共通の信号線３５を介して静電容量センサＩＣ２９に接続されているとしたが、静電容量センサ２５〜２８がそれぞれ個別の信号線を介して静電容量センサＩＣ２９に接続されてもよい。
【００６７】
ユーザの手などの物体が起動用静電容量センサ２５〜２８に近接して、ＮＦＣ基板１３の状態が省電力状態から通常状態に復帰した後、ＮＦＣ通信可能な端末の探索が行われずに、アンテナ１６からＮＦＣ通信を開始するコマンドが送出されるとしたが、ＮＦＣ通信可能な端末の探索が行われてもよい。
【００６８】
また、ＣＰＵ４５が各処理を実行する場合について説明した。しかしながら、ＡＳＩＣ４１が複数のＣＰＵを備え、複数のＣＰＵが協働して各処理を実行してもよい。
【００６９】
本発明は、複合機１に限らず、画像形成装置２の単体を含むプリンタや画像読取装置３の単体を含むスキャナなどの画像処理装置に適用されてもよいし、画像処理装置以外の電子機器に適用することもできる。
【００７０】
その他、前述の構成には、特許請求の範囲に記載された事項の範囲で種々の設計変更を施すことが可能である。
【符号の説明】
【００７１】
１：複合機
１３：ＮＦＣ基板
１５：ＮＦＣ−ＩＣ
１６：アンテナ
１７：ＩＣカード
２２，２２，２３，２４：ＵＩ用静電容量センサ
２５，２６，２７，２８：起動用静電容量センサ
２５Ｄ，２６Ｄ，２７Ｄ，２８Ｄ：検出面
２９：静電容量センサＩＣ
４５：ＣＰＵ
【図１】
2019177630.tif 000003
【図２】
2019177630.tif 000004
【図３】
2019177630.tif 000005
【図４】
2019177630.tif 000006
【図５】
2019177630.tif 000007
【図６】
2019177630.tif 000008
【図７】
2019177630.tif 000009
【図８】
2019177630.tif 000010